(57)【要約】【課題】  子供たちの衣服や持ち物の紐などが引っ掛かりにくいように工夫された、ジャングルジムの組立に用いられる締結金具を提供する。【解決手段】  締結金具（１１）は、六角凹部付頭（１２）を有し、且つ交差するパイプ（１、２）に設けられた貫通孔（１０）及び座金（９）のボルト通し孔（８）に通されるボルト（１４）と、ボルトの頭の下面に接触する平坦面（１５）及び交差する円筒パイプの一方の円筒パイプの外面に接触する円形座面（１６）を有する座金（１７）と、他方の円筒パイプの貫通孔（１０）に外側から差し込まれ、ボルトのねじ部（１３）に螺合する雌ねじ付円筒部（１８）及び他方の円筒パイプの外面に接触する円形座面（１８）及び互いに平行な把持面（２０）を有する頭（２１）を含む袋ナット（２２）と、で構成される。【選択図】      図５
2006250213.tif 000002
【特許請求の範囲】
【請求項１】
複数本の縦円筒バイプと、縦円筒バイブと交差するように配列される複数本の横円筒パイプと、それらを交差部において座金を介在させた状態で互いに連結するための締結金具と、で構成されるジャングルジムにおいて、締結金具は、六角凹部付頭を有し、且つ交差するパイプに設けられた貫通孔及び前記座金のボルト通し孔に通されるボルトと、ボルトの頭の下面に接触する平坦面及び交差する円筒パイプの一方の円筒パイプの外面に接触する円形座面を有する座金と、他方の円筒パイプの貫通孔に外側から差し込まれ、ボルトのねじ部に螺合する雌ねじ付円筒部及び他方の円筒パイプの外面に接触する円形座面及び互いに平行な把持面を有する頭を含む袋ナットと、で構成される、ジャングルジムの組立に用いられる締結金具。
【請求項２】
ボルトの頭は、出っ張りを少なくし、平滑さを確保するために半球面状である、請求項１に記載の締結金具。
【請求項３】
袋ナットの頭は、その出っ張りを少なくすために頂き面が平坦に形成されている、請求項１に記載の締結金具。
【発明の詳細な説明】
【技術分野】
【０００１】
本発明は、公演や遊園地等に恒久的に据え付けられるジャングルジムの組立に使用される締結金具に関する。
【背景技術】
【０００２】
ジャングルジムは、色々なタイプのものが知られているが、典型的には、図１に示すようなものであって、複数本の縦円筒バイプ１と、縦円筒バイブと交差するように配列される複数本の横円筒パイプ２と、それらを交差部において互いに連結するための締結金具３と、で構成される。締結金具３は、図２及び３に示すように、六角頭付ボルト４と、ボルトのねじ部５に螺合する袋ナット６と、円筒パイプの交差部で円筒パイプ１、２間に位置し、交差した円筒パイプ１、２にそれぞれ係合する座面７を有し、且つ中心にボルト押し孔８を有する座金９と、を含む。円筒パイプ１、２は、好ましくは、スチールからなり、そして交差部に貫通孔１０を有し、座金９をパイプの交差部に介在させた上でボルト４を交差した円筒パイプの貫通孔１０及び座金９のボルト通し孔８に差し込んで、反対側から袋ナット６をボルト４のねじ部５に螺合し、ボルト４と袋ナット６を互いに締めて交差した円筒パイプ１、２を連結する。
【発明の開示】
【発明が解決しようとする課題】
【０００３】
ジャングルジムは、昇る、くぐる、降りるといった様々な遊びを子供たちに提供し、一般的には安全で健康的な遊戯具の１つとして認識されている。しかし、円筒パイプを互いに連結する締結具は、締結のみに力点が置かれ、ボルトの六角頭とパイプとの間及びナットとパイプとの間に、パイプの円筒面のために、極僅かではあるが出来てしまう隙間について眼が向けられていなかった。そのため、子供たちが遊んでいる間に、衣服や持ち物の紐などが、時としてそれらの隙間に引っ掛かるといった問題があった。したがって、そのような締結金具の引っ掛かりの防止策が安全対策上強く求められていた。
【０００４】
本発明の目的は、子供たちの衣服や持ち物の紐などが引っ掛かりにくいように工夫された、ジャングルジムの組立に用いられる締結金具を提供することにある。
【０００５】
本発明の他の目的は、締結金具のボルトの頭や袋ナットの露出部分をより安全な形態にした、ジャングルジムの組立に用いられる締結金具を提供することにある。
【課題を解決するための手段】
【０００６】
本発明の上記の目的は、複数本の縦円筒バイプと、縦円筒バイブと交差するように配列される複数本の横円筒パイプと、それらを交差部において座金を介在させた状態で互いに連結するための締結金具と、で構成されるジャングルジムにおいて、締結金具は、六角凹部付頭を有し、且つ交差するパイプに設けられた貫通孔及び前記座金のボルト通し孔に通されるボルトと、ボルトの頭の下面に接触する平坦面及び交差する円筒パイプの一方の円筒パイプの外面に接触する円形座面を有する座金と、他方の円筒パイプの貫通孔に外側から差し込まれ、ボルトのねじ部に螺合する雌ねじ付円筒部及び他方の円筒パイプの外面に接触する円形座面及び互いに平行な把持面を有する頭を含む袋ナットと、で構成される、ジャングルジムの組立に用いられる締結金具を提供することによって達成される。
【０００７】
ボルトの頭は、出っ張りを少なくし、平滑さを確保する観点から半球面状であることが望ましい。袋ナットの頭も、その出っ張りを少なくすために頂き面が平坦に形成される。
【発明を実施するための最良の形態】
【０００８】
ジャングルジムは、図４に示すように、複数本の縦円筒バイプ１と、縦円筒バイブと交差するように配列される複数本の横円筒パイプ２と、それらを交差部において座金９を介在させた状態で互いに連結するための締結金具１１と、で構成される。図５及び６から明らかなように、座金９は、在来のものと同様に、円筒パイプ１、２にそれぞれ係合する座面７を有し、且つ中心にボルト押し孔８を有する。締結金具１１は、交差するパイプ１、２に設けられた貫通孔１０及び座金９のボルト通し孔８に通され、且つ六角凹部付頭１２及びねじ部１３を有するボルト１４と、ボルト１４の頭１２の下面に接触する平坦面１５及び交差する円筒パイプの、例えば一方の円筒パイプ１の外面に接触する円形座面１６を有する座金１７と、例えば、他方の円筒パイプ２の貫通孔１０に外側から差し込まれ、ボルト１４のねじ部１３に螺合する雌ねじ付円筒部１８及び他方の円筒パイプの外面に接触する円形座面１９及び互いに平行な把持面２０を有する頭２１を含む袋ナット２２と、を含む。
【０００９】
ボルト１４の頭１２は、出っ張りを少なくし、平滑さを確保する観点から、図示のように半球面状であることが望ましい。袋ナット２２の頭２１も、その出っ張りを少なくすために、頂き面が平坦２３に形成される。
【００１０】
ジャングルジムを組み立てにあたって、縦横円筒パイプ１、２を連結するには、両パイプを交差させ、座金９をパイプの交差部に介在させた上で座金１７を差してボルト１４を交差した円筒パイプの貫通孔１０及び座金９のボルト通し孔８に差し込む。反対側から袋ナット２２の雌ねじ付円筒部を１８を円筒パイプの貫通孔１０に差し込み、ボルト１４のねじ部１３を雌ねじ付円筒部１８に対峙させる。袋ナット２２をその把持面２０にスパナを係合させた状態で、ボルト４の六角凹部に差し込まれたドライバーによってボルト１４を回せば、ボルト１４は袋ナット２２にねじ込まれてパイプ１、２を互いに締めて交差した円筒パイプ１、２を連結する。その際、座金１７及び袋ナット２２は、それらの座面１６、１９がパイプ１、２の外面に密着することによって適所に保持される。隠してパイプと座金及び袋ナットとの間には如何なる隙間も形成されない。
【００１１】
本発明によれば、上記のように、座金１７及び袋ナット２２の座面１６、１９がパイプの円筒面と一致した円形をなしているので、パイプの外面に密着するから、パイプと座金及び袋ナットとの間に、衣服や持ち物の紐等が引っ掛かる隙間はできない。またボルトの頭は球形をなしているので、出っ張りの程度が少なく、しかも平滑である。袋ナットは、その一部である雌ねじ付円筒部がパイプの貫通孔に差し込まれるため、及び頂きが平坦であるため、パイプからの出っ張りが著しく少なくなり、安全対策上都合がよい。
【図面の簡単な説明】
【００１２】
【図１】在来のジャングルジムの全体斜視図である。
【図２】在来の締結金具でジャングルジムを構成する縦横円筒パイプを連結している様子を示す断面図である。
【図３】在来の締結金具の座金の斜視図である。
【図４】本発明によるジャングルジムの全体斜視図である。
【図５】本発明による締結金具でジャングルジムを構成する縦横円筒パイプを連結している様子を示す断面図である。
【図６】本発明による締結金具の斜視図である。
【符号の説明】
【００１３】
１  縦円筒バイプ
２  横円筒パイプ
７  座面
８  ボルト通し孔
９  座金
１０  貫通孔
１１  締結金具
１２  六角凹部付頭
１３  ねじ部
１４  ボルト
１５  平坦面
１６  円形座面
１７  座金
１８  雌ねじ付円筒部
１９  円形座面
２０  把持面
２１  頭
２２  袋ナット
【図１】
2006250213.tif 000003
【図２】
2006250213.tif 000004
【図３】
2006250213.tif 000005
【図４】
2006250213.tif 000006
【図５】
2006250213.tif 000007
【図６】
2006250213.tif 000008